(57)【要約】【課題】原稿の誤送信を抑制することができるファクシミリ装置およびファクシミリ制御プログラムを提供すること。【解決手段】原稿台２ａに載置された原稿Ｐの送信開始日時またはＦＡＸ送信先が、該当する送信開始日時、またはその送信開始日時に対応するＦＡＸ送信先と不一致であって、ファクシミリ送信の対象原稿ではないと判断される場合、タイマー送信の自動取り消しを示す通知を、例えば操作パネル２６に表示し、該当する送信開始日時を含むタイマー予約設定を取り消す。【選択図】図４
2010011107.tif 000002
【特許請求の範囲】
【請求項１】
予約されたファクシミリ送信を実行する予約ファクシミリ実行手段と、
その予約ファクシミリ実行手段によるファクシミリ送信の実行前に、原稿台に載置された原稿から、その原稿に付加された無線タグが保持する情報を読み取り、その読み取った情報に基づいて、前記原稿が、前記予約ファクシミリ実行手段により実行されるファクシミリ送信の対象原稿かを判断する送信対象判断手段と、
その送信対象判断手段により、前記予約ファクシミリ実行手段により実行されるファクシミリ送信の対象原稿ではないと判断された原稿が、前記予約ファクシミリ実行手段によりファクシミリ送信されることを禁止する禁止手段とを備えることを特徴とするファクシミリ装置。
【請求項２】
前記予約ファクシミリ実行手段により実行されるファクシミリ送信の開始条件を登録する開始条件登録手段と、
その開始条件登録手段に登録された開始条件で実行されるファクシミリ送信の対象原稿のうち、少なくとも１枚の原稿の無線タグに、前記開始条件に関連する情報を保持させる関連付け手段と、
前記開始条件登録手段に登録される開始条件のうち、いずれかが成立するかを判断する開始条件判断手段とを備え、
前記送信対象判断手段は、
前記開始条件判断手段により一の開始条件が成立すると判断されたときに前記原稿台に載置されている原稿のうち、少なくとも１枚の原稿から無線タグが保持する情報を読み取り、その情報が前記一の開始条件に関連する情報であるか否かに基づいて、前記原稿が、前記予約ファクシミリ実行手段により実行されるファクシミリ送信の対象原稿であるか否かを判断することを特徴とする請求項１記載のファクシミリ装置。
【請求項３】
前記予約ファクシミリ実行手段が実行するファクシミリ送信の対象原稿の枚数を、前記開始条件登録手段に記憶された開始条件と対応付けて記憶する送信枚数記憶手段を備え、
前記送信対象判断手段は、
前記１枚の原稿から読み取った情報が前記一の開始条件に関連する情報である場合、その一の開始条件に対応付けて記憶された枚数を送信枚数として、その送信枚数分の原稿を、ファクシミリ送信の対象原稿として判断することを特徴とする請求項２記載のファクシミリ装置。
【請求項４】
前記送信対象判断手段は、
前記予約ファクシミリ実行手段により実行されるファクシミリ送信の対象原稿であると判断された前記１枚の原稿と前記原稿台において連続して積層されている送信枚数分の原稿を、ファクシミリ送信の対象原稿として判断することを特徴とする請求項３記載のファクシミリ装置。
【請求項５】
前記禁止手段は、前記送信対象判断手段により、前記原稿台に載置された原稿は、前記予約ファクシミリ実行手段により実行されるファクシミリ送信の対象原稿ではないと判断される場合、前記開始条件登録手段に登録された前記一の開始条件を取り消すことを特徴とする請求項２から４のいずれかに記載のファクシミリ装置。
【請求項６】
前記関連付け手段は、予約されたファクシミリ送信の対象原稿の各ページの無線タグに、前記開始条件に関連する情報を保持させるものであり、
前記送信対象判断手段は、前記原稿台に載置された原稿の各ページから、無線タグが保持する情報を読み取り、その情報が前記一の開始条件に関連する情報であるか否かに基づいて、前記予約ファクシミリ実行手段により実行されるファクシミリ送信の対象原稿であるか否かを原稿のページ毎に判断することを特徴とする請求項２記載のファクシミリ装置。
【請求項７】
前記予約ファクシミリ実行手段により実行されるファクシミリ送信の対象原稿の枚数を、前記開始条件登録手段により登録された開始条件と対応付けて記憶する送信枚数記憶手段を備え、
前記送信判断手段は、前記原稿台に載置された原稿が、前記予約ファクシミリ実行手段により実行されるファクシミリ送信の対象原稿ではないと判断する場合、その原稿を排紙し、次の１ページの原稿について、前記予約ファクシミリ実行手段により実行されるファクシミリ送信の対象原稿であるか否かを判断するものであり、
前記一の開始条件に対応付けて記憶された枚数分の原稿が、ファクシミリ送信の対象原稿であると判断されるまでの間、前記原稿台に載置された原稿について１ページずつ、前記予約ファクシミリ実行手段により実行されるファクシミリ送信の対象原稿であるか否かを判断することを特徴とする請求項６記載のファクシミリ装置。
【請求項８】
前記送信対象判断手段は、前記予約ファクシミリ実行手段により実行されるファクシミリ送信の対象原稿であるか否かをページ毎に判断する間に、少なくとも１ページの原稿について、ファクシミリ送信の対象原稿でないと判断された場合、前記開始条件登録手段に登録された前記一の開始条件を取り消すことを特徴とする請求項６記載のファクシミリ装置。
【請求項９】
前記開始条件登録手段は、予約されたファクシミリ送信の開始条件として、ファクシミリ送信の送信日時を登録するものであり、
前記開始条件登録手段に実行待ちの送信日時が登録されている状態において、新たにファクシミリ送信が予約され、送信日時が登録された場合、前記原稿台に先に積層されていた原稿に対して、新たに予約されたファクシミリ送信の対象原稿を挿入すべき位置を決定する挿入位置決定手段と、
その挿入位置決定手段により決定された挿入位置を報知する報知手段を備えることを特徴とする請求項２から８のいずれかに記載のファクシミリ装置。
【請求項１０】
前記原稿台に載置された原稿を紙送りする自動原稿送り手段を備え、
その自動原稿送り手段により原稿台に載置された原稿を紙送りすることにより、前記挿入位置決定手段により決定された挿入位置で、前記原稿台に載置された原稿を複数セットに仕分ける仕分け手段を備えることを特徴とする請求項９記載のファクシミリ装置。
【請求項１１】
前記開始条件登録手段に登録されている実行待ちの送信日時のうちいずれかが取り消される場合、その取り消される送信日時にファクシミリ送信すべきであった対象原稿が積層された位置で、前記原稿台に載置された原稿を複数セットに仕分ける原稿取り出し支援手段を備えることを特徴とする請求項１０記載のファクシミリ装置。
【請求項１２】
予約されたファクシミリ送信を実行する予約ファクシミリ実行手段と、
その予約ファクシミリ実行手段によるファクシミリ送信の実行前に、原稿台に載置された原稿から、その原稿に付加された無線タグが保持する情報を読み取り、その読み取った情報に基づいて、前記原稿が、前記予約ファクシミリ実行手段により実行されるファクシミリ送信の対象原稿かを判断する送信対象判断手段と、
その送信対象判断手段により、前記予約ファクシミリ実行手段により実行されるファクシミリ送信の対象原稿ではないと判断された原稿が、前記予約ファクシミリ実行手段によりファクシミリ送信されることを禁止する禁止手段として、ファクシミリ装置を機能させることを特徴とするファクシミリ制御プログラム。
【発明の詳細な説明】
【技術分野】
【０００１】
本発明は、ファクシミリ装置およびファクシミリ制御プログラムに関するものである。
【背景技術】
【０００２】
従来より、指定した時刻にファクシミリ送信を実行するタイマー送信機能や、受信側からの指令に基づいてファクシミリ送信を実行するポーリング送信機能を有するファクシミリ装置が知られている。
【特許文献１】特開平１０−６５８６０号公報
【発明の開示】
【発明が解決しようとする課題】
【０００３】
しかしながら、タイマー送信機能やポーリング送信機能を実行するために、原稿台に原稿を載置した状態において、使用者の操作により、別のファクシミリ実行指示がなされた場合、原稿台に載置されていたタイマー送信やポーリング送信すべき原稿が、誤って送信されてしまうといった不都合が生じる。
【０００４】
特に、カラースキャナ機能を搭載し、カラーの原稿を読み取って送信するファクシミリ装置においては、データ容量が大きくなるため、ダイヤル後にデータを読み込みながら送信するリアルタイム送信が行われる。そのため、タイマー送信やポーリング送信が予約されている間、その送信対象の原稿が原稿台を占有し続けることとなり、使用上の不便がある。
【０００５】
本発明は、上記問題点を解決するためになされたものであり、原稿の誤送信を抑制することができるファクシミリ装置およびファクシミリ制御プログラムを提供することを目的としている。
【課題を解決するための手段】
【０００６】
この目的を達成するために、請求項１記載のファクシミリ装置は、予約されたファクシミリ送信を実行する予約ファクシミリ実行手段と、その予約ファクシミリ実行手段によるファクシミリ送信の実行前に、原稿台に載置された原稿から、その原稿に付加された無線タグが保持する情報を読み取り、その読み取った情報に基づいて、前記原稿が、前記予約ファクシミリ実行手段により実行されるファクシミリ送信の対象原稿かを判断する送信対象判断手段と、その送信対象判断手段により、前記予約ファクシミリ実行手段により実行されるファクシミリ送信の対象原稿ではないと判断された原稿が、前記予約ファクシミリ実行手段によりファクシミリ送信されることを禁止する禁止手段とを備えることを特徴とする。
【０００７】
請求項２記載のファクシミリ装置は、請求項１記載のファクシミリ装置において、前記予約ファクシミリ実行手段により実行されるファクシミリ送信の開始条件を登録する開始条件登録手段と、その開始条件登録手段に登録された開始条件で実行されるファクシミリ送信の対象原稿のうち、少なくとも１枚の原稿の無線タグに、前記開始条件に関連する情報を保持させる関連付け手段と、前記開始条件登録手段に登録される開始条件のうち、いずれかが成立するかを判断する開始条件判断手段とを備え、前記送信対象判断手段は、前記開始条件判断手段により一の開始条件が成立すると判断されたときに前記原稿台に載置されている原稿のうち、少なくとも１枚の原稿から無線タグが保持する情報を読み取り、その情報が前記一の開始条件に関連する情報であるか否かに基づいて、前記原稿が、前記予約ファクシミリ実行手段により実行されるファクシミリ送信の対象原稿であるか否かを判断することを特徴とする。
【０００８】
請求項３記載のファクシミリ装置は、請求項２記載のファクシミリ装置において、前記予約ファクシミリ実行手段が実行するファクシミリ送信の対象原稿の枚数を、前記開始条件登録手段に記憶された開始条件と対応付けて記憶する送信枚数記憶手段を備え、前記送信対象判断手段は、前記１枚の原稿から読み取った情報が前記一の開始条件に関連する情報である場合、その一の開始条件に対応付けて記憶された枚数を送信枚数として、その送信枚数分の原稿を、ファクシミリ送信の対象原稿として判断することを特徴とする。
【０００９】
請求項４記載のファクシミリ装置は、請求項３記載のファクシミリ装置において、前記送信対象判断手段は、前記予約ファクシミリ実行手段により実行されるファクシミリ送信の対象原稿であると判断された前記１枚の原稿と前記原稿台において連続して積層されている送信枚数分の原稿を、ファクシミリ送信の対象原稿として判断することを特徴とする。
【００１０】
請求項５記載のファクシミリ装置は、請求項２から４のいずれかに記載のファクシミリ装置において、前記禁止手段は、前記送信対象判断手段により、前記原稿台に載置された原稿は、前記予約ファクシミリ実行手段により実行されるファクシミリ送信の対象原稿ではないと判断される場合、前記開始条件登録手段に登録された前記一の開始条件を取り消すことを特徴とする。
【００１１】
請求項６記載のファクシミリ装置は、請求項２記載のファクシミリ装置において、前記関連付け手段は、予約されたファクシミリ送信の対象原稿の各ページの無線タグに、前記開始条件に関連する情報を保持させるものであり、前記送信対象判断手段は、前記原稿台に載置された原稿の各ページから、無線タグが保持する情報を読み取り、その情報が前記一の開始条件に関連する情報であるか否かに基づいて、前記予約ファクシミリ実行手段により実行されるファクシミリ送信の対象原稿であるか否かを原稿のページ毎に判断することを特徴とする。
【００１２】
請求項７記載のファクシミリ装置は、請求項６記載のファクシミリ装置において、前記予約ファクシミリ実行手段により実行されるファクシミリ送信の対象原稿の枚数を、前記開始条件登録手段により登録された開始条件と対応付けて記憶する送信枚数記憶手段を備え、前記送信判断手段は、前記原稿台に載置された原稿が、前記予約ファクシミリ実行手段により実行されるファクシミリ送信の対象原稿ではないと判断する場合、その原稿を排紙し、次の１ページの原稿について、前記予約ファクシミリ実行手段により実行されるファクシミリ送信の対象原稿であるか否かを判断するものであり、前記一の開始条件に対応付けて記憶された枚数分の原稿が、ファクシミリ送信の対象原稿であると判断されるまでの間、前記原稿台に載置された原稿について１ページずつ、前記予約ファクシミリ実行手段により実行されるファクシミリ送信の対象原稿であるか否かを判断することを特徴とする。
【００１３】
請求項８記載のファクシミリ装置は、請求項６記載のファクシミリ装置において、前記送信対象判断手段は、前記予約ファクシミリ実行手段により実行されるファクシミリ送信の対象原稿であるか否かをページ毎に判断する間に、少なくとも１ページの原稿について、ファクシミリ送信の対象原稿でないと判断された場合、前記開始条件登録手段に登録された前記一の開始条件を取り消すことを特徴とする。
【００１４】
請求項９記載のファクシミリ装置は、請求項２から８のいずれかに記載のファクシミリ装置において、前記開始条件登録手段は、予約されたファクシミリ送信の開始条件として、ファクシミリ送信の送信日時を登録するものであり、前記開始条件登録手段に実行待ちの送信日時が登録されている状態において、新たにファクシミリ送信が予約され、送信日時が登録された場合、前記原稿台に先に積層されていた原稿に対して、新たに予約されたファクシミリ送信の対象原稿を挿入すべき位置を決定する挿入位置決定手段と、その挿入位置決定手段により決定された挿入位置を報知する報知手段を備えることを特徴とする。
【００１５】
請求項１０記載のファクシミリ装置は、請求項９キシあのファクシミリ装置において、前記原稿台に載置された原稿を紙送りする自動原稿送り手段を備え、その自動原稿送り手段により原稿台に載置された原稿を紙送りすることにより、前記挿入位置決定手段により決定された挿入位置で、前記原稿台に載置された原稿を複数セットに仕分ける仕分け手段を備えることを特徴とする。
【００１６】
請求項１１記載のファクシミリ装置は、請求項１０記載のファクシミリ装置において、前記開始条件登録手段に登録されている実行待ちの送信日時のうちいずれかが取り消される場合、その取り消される送信日時にファクシミリ送信すべきであった対象原稿が積層された位置で、前記原稿台に載置された原稿を複数セットに仕分ける原稿取り出し支援手段を備えることを特徴とする。
【００１７】
請求項１２記載のファクシミリ制御プログラムは、予約されたファクシミリ送信を実行する予約ファクシミリ実行手段と、その予約ファクシミリ実行手段によるファクシミリ送信の実行前に、原稿台に載置された原稿から、その原稿に付加された無線タグが保持する情報を読み取り、その読み取った情報に基づいて、前記原稿が、前記予約ファクシミリ実行手段により実行されるファクシミリ送信の対象原稿かを判断する送信対象判断手段と、その送信対象判断手段により、前記予約ファクシミリ実行手段により実行されるファクシミリ送信の対象原稿ではないと判断された原稿が、前記予約ファクシミリ実行手段によりファクシミリ送信されることを禁止する禁止手段として、ファクシミリ装置を機能させることを特徴とする。
【発明の効果】
【００１８】
請求項１記載のファクシミリ装置によれば、予約ファクシミリ実行手段により実行されるファクシミリ送信の対象原稿ではないと判断された原稿が、前記予約ファクシミリ実行手段によりファクシミリ送信されることが禁止されるので、送信対象ではない原稿が原稿台に載置されている場合においても、原稿の誤送信を抑制することができるという効果がある。
【００１９】
請求項２記載のファクシミリ装置によれば、請求項１記載のファクシミリ装置の奏する効果に加え、原稿の無線タグが保持する情報を読み取り、その情報が前記一の開始条件に関連する情報であるか否かに基づいて、原稿が、予約ファクシミリ実行手段により実行されるファクシミリ送信の対象原稿であるか否かを判断するので、開始条件に適合した対象原稿であるか否かを確実に判断することができるという効果がある。
【００２０】
なお、開始条件に関連する情報とは、例えば、開始条件そのものであっても良く、また、開始条件にファクシミリの送信先を示す情報を付加したものであっても良い。また、開始条件に関連付けられた識別情報であっても良い。
【００２１】
請求項３記載のファクシミリ装置によれば、請求項２記載のファクシミリ装置の奏する効果に加え、１枚の原稿から読み取った情報が一の開始条件に関連する情報である場合、その一の開始条件に対応付けて記憶された枚数を送信枚数として、その送信枚数分の原稿をファクシミリ送信の対象原稿として判断するので、複数ページにわたる送信対象原稿のうち一枚の原稿にのみ無線タグが付加されている場合であっても、適切な枚数の原稿をファクシミリ送信の対象原稿として判断することができるという効果がある。
【００２２】
請求項４記載のファクシミリ装置によれば、請求項３記載のファクシミリ装置の奏する効果に加え、対象原稿であると判断された１枚の原稿と原稿台において連続して積層されている送信枚数分の原稿を、ファクシミリ送信の対象原稿として判断する。複数ページから構成される１セットの原稿は、原稿台において連続して積層されている可能性が高いため、対象原稿が複数ページからなる場合であっても、最小限の無線タグからの情報で、適切な判断をすることができるという効果がある。また、対象原稿に重ねて、送信対象外の原稿が載置されていたとしても、一の開始条件の成立時には、その一の開始条件の成立時に送信すべき原稿のみをファクシミリ送信することができるという効果がある。
【００２３】
請求項５記載のファクシミリ装置によれば、請求項２から４のいずれかに記載のファクシミリ装置の奏する効果に加え、原稿台に載置された原稿が、予約ファクシミリ実行手段により実行されるファクシミリ送信の対象原稿ではないと判断される場合、開始条件登録手段に登録された一の開始条件を取り消すので、誤送信が確実に抑制されるという効果がある。
【００２４】
請求項６記載のファクシミリ装置によれば、請求項２記載のファクシミリ装置の奏する効果に加え、送信対象判断手段は、前記予約ファクシミリ実行手段により実行されるファクシミリ送信の対象原稿であるか否かを、原稿台に載置された原稿のページ毎に判断するので、送信対象原稿に送信対象ではない原稿が混入していても、その混入ページが誤ってファクシミリ送信されてしまうことを抑制できるという効果がある。
【００２５】
請求項７記載のファクシミリ装置によれば、請求項６記載のファクシミリ装置の奏する効果に加え、一の開始条件に対応付けて記憶された枚数分の原稿が、ファクシミリ送信の対象原稿であると判断されるまでの間、原稿台に載置された原稿について１ページずつ、予約ファクシミリ実行手段により実行されるファクシミリ送信の対象原稿であるか否かを判断するので、原稿台に載置された順序における後方に、対象原稿が存在していても、その対象原稿に至るまで判断を繰り返すことができるという効果がある。
【００２６】
請求項８記載のファクシミリ装置によれば、請求項６記載のファクシミリ装置の奏する効果に加え、送信対象原稿よりも先に判断される原稿に、１ページでも送信対象外の原稿が混入していれば、開始条件が取り消され、誤送信を確実に抑制することができるという効果がある。
【００２７】
請求項９記載のファクシミリ装置によれば、請求項２から８のいずれかに記載のファクシミリ装置の奏する効果に加え、新たにファクシミリ送信が予約され、送信日時が登録された場合、原稿台に先に積層されていた原稿に対して、新たに予約されたファクシミリ送信の対象原稿を挿入すべき位置が報知されるので、ユーザが、適切な原稿挿入位置を把握することができるという効果がある。
【００２８】
請求項１０記載のファクシミリ装置によれば、請求項９記載のファクシミリ装置の奏する効果に加え、挿入位置決定手段により決定された挿入位置で、原稿台に載置された原稿が複数セットに仕分けられるので、ユーザは、その仕分けられた複数セットの間に原稿を挿入するという簡単な作業で、送信順序に対応した適切な順序で、原稿を積層させることができるという効果がある。
【００２９】
請求項１１記載のファクシミリ装置によれば、請求項１０記載のファクシミリ装置の奏する効果に加え、開始条件登録手段に登録されている実行待ちの送信日時のうちいずれかが取り消される場合、その取り消される送信日時にファクシミリ送信すべきであった対象原稿が積層されている位置で、原稿台に載置された原稿が複数セットに仕分けられるので、ユーザは、その仕分けられた位置から原稿を取り出すという簡単な作業で、取り消した送信日時に送信すべきであった原稿を取り出すことができるという効果がある。
【００３０】
請求項１２記載のファクシミリ制御プログラムによれば、ファクシミリ装置において実行されることにより、請求項１記載のファクシミリ装置と同様の作用効果を奏する。
【発明を実施するための最良の形態】
【００３１】
以下、本発明の好ましい実施形態について、添付図面を参照して説明する。図１は、本発明の第１実施形態であるファクシミリ装置１の模式的な断面図である。ファクシミリ装置１は、自動原稿送り装置２と、スキャナ装置３と、レーザプリンタ４と、給紙トレイ部５と、無線タグリーダ・ライタ１５とを有する。ファクシミリ装置１によれば、自動原稿送り装置２に、読み取り対象の原稿Ｐがセットされ、ユーザにより図示しないスタートキーが押下されると、自動原稿送り装置２によって原稿Ｐが１ページずつ送られて、スキャナ装置３により読み取られ、その読み取りにより得られた原稿データが、ファクシミリ装置１から外部装置に対して送信される。
【００３２】
スキャナ装置３は、ガラス板３ａの直下に、ガラス板３ａに当接させた原稿の画像面を読み取るためのライン型の密着型イメージセンサ３ｂが設けられて構成されている。このスキャナ装置３は、自動原稿送り装置２により送られる原稿Ｐの画像面を読み取ることにより、原稿データを取得する。スキャナ装置３により読み取られた原稿Ｐは、図示しない排紙部へ排紙される。
【００３３】
レーザプリンタ４は、イエローのトナーを収納したＹステーション４２、マゼンダのトナーを収納したＭステーション４３、シアンのトナーを収納したＣステーション４４およびブラックのトナーを収納したＫステーション４５を備えると共に、これら各ステーションのトナーを転写ドラム３５に受け渡すための中間転写ベルト３６や、定着用ローラ３７を備え、給紙トレイ部５から給紙された記録用紙に、外部装置から受信したファクシミリデータに基づく画像を形成する。このレーザプリンタ４により画像が形成された記録用紙は、排紙スタッカ３９へ排紙される。
【００３４】
無線タグリーダ・ライタ１５は、原稿台２ａに載置された原稿に付加された無線タグと、アンテナを介して情報のやり取りを行うことにより、その無線タグに情報を書き込み、または無線タグが保持する情報を読み出す。
【００３５】
ファクシミリ装置１は、予約された送信開始日時にファクシミリ送信を実行するタイマー送信機能を備える。そして、ファクシミリ装置１は、送信開始日時（特許請求の範囲に記載の開始条件、送信日時の一例）を登録する際には、その送信開始日時にファクシミリ送信すべき対象原稿Ｐに付加された無線タグに対し、無線タグリーダ・ライタ１５により原稿管理情報を書き込む。また、タイマー送信機能の実行時には、原稿の無線タグに保持させた原稿管理情報を利用することにより、誤った原稿がファクシミリ送信されることを防止するのであるが、詳細は後述する。
【００３６】
図２は、ファクシミリ装置１の電気的構成を示すブロック図である。ファクシミリ装置１には、上述したスキャナ装置３、レーザプリンタ４、無線タグリーダ・ライタ１５に加え、ＣＰＵ１１、ＲＯＭ１２、ＲＡＭ１３、フラッシュメモリ１４、ネットワーク・コントロール・ユニット（以下、「ＮＣＵ」と称する）１９、モデム２０、バッファ２１、符号化部２３、復号化部２４、操作パネル２６、アンプ２７が備えられ、これらはバスライン２５を介して接続されている。
【００３７】
ファクシミリ装置１のＣＰＵ１１は、バスライン２５により接続された装置各部を制御してファクシミリ送受信を実行するものである。ＲＯＭ１２は、このファクシミリ装置１で実行される制御プログラム１２１を格納した書換不能なメモリである。この制御プログラム１２１に従って、図５から図７のフローチャートに示す処理が実行されるが、処理の詳細は後述する。
【００３８】
ＲＡＭ１３は、ファクシミリ装置１の各動作の実行時に、各種のデータを一時的に記憶するためのメモリであり、無線タグ情報メモリ１３１が設けられる。無線タグ情報メモリ１３１は、原稿台２ａに載置された読み取り原稿Ｐの無線タグが保持する情報を、無線タグリーダ・ライタ１５で読み取ることにより得た情報を格納するメモリである。
【００３９】
フラッシュメモリ１４は、書換可能な不揮発性のメモリであって、タイマー送信管理部１４１を備える。タイマー送信管理部１４１については、図３を参照して後述する。
【００４０】
モデム２０は、ファクシミリデータを変調・復調して伝送すると共に伝送制御用の各種手順信号を送受信するものであり、バッファ２１は、相手先の装置との間で送受信される符号化されたファクシミリデータを含むデータを一時的に格納するものである。
【００４１】
符号化部２３はファクシミリデータの符号化を行うものである。復号化部２４は、バッファ２１に記憶された受信データを読み出して、これを復号化するものである。アンプ２７にはスピーカ２８が接続され、呼出音などをこのスピーカ２８から出力するためのものである。
【００４２】
このように構成されたファクシミリ装置１は、ＮＣＵ１９を介して、電話回線３１に接続されている。この電話回線３１は、本ファクシミリ装置１の交換機２９に接続され、この交換機２９は電話回線３２を介して、相手先装置側の交換機に接続され、更に電話回線を介して相手先装置に接続されている。
【００４３】
図３は、タイマー送信管理部１４１の構成を模式的に示す図である。図３に示すように、タイマー送信管理部１４１は、タイマー送信機能によるファクシミリ送信の実行開始時刻を指定する送信開始日時に、ＦＡＸ送信先と、指定枚数と、管理番号とを対応付けて記憶するメモリである。なお、送信開始日時が、特許請求の範囲に記載の開始条件に相当する。
【００４４】
ユーザが、タイマー送信機能でファクシミリ送信したい原稿を、原稿台２ａに載置し、操作パネル２６（図２参照）から、ＦＡＸ送信先、送信開始日時、指定枚数とを入力すると、ファクシミリ装置１は、入力されたこれらの情報をタイマー送信管理部１４１に登録する。なお、ＦＡＸ送信先、送信開始日時、指定枚数、管理番号からなる情報を、以下、「タイマー予約設定」と称する。ファクシミリ装置１は、タイマー送信管理部１４１に登録されたタイマー予約設定に従ってファクシミリ送信を実行する。
【００４５】
タイマー予約設定の登録時、ファクシミリ装置１は、登録するタイマー予約設定に関連付けられた原稿管理情報を生成し、原稿台２ａに載置された原稿の無線タグに、無線タグリーダ・ライタ１５を介して保持させる。
【００４６】
図４は、原稿Ｐの無線タグに保持させる原稿管理情報を説明する図である。図４に示すように、ＦＡＸ送信先および送信開始日時を含む原稿管理情報が、原稿台２ａに載置された原稿Ｐの無線タグに書き込まれる。このようにすれば、タイマー送信管理部１４１で管理されるタイマー予約設定と、その予約設定で送信すべき対象原稿とを、ＦＡＸ送信先と送信開始日時とで関連付けることができるのである。
【００４７】
そして、ファクシミリ装置１は、タイマー送信によるファクシミリ送信の実行開始前に、原稿台２ａに載置された原稿Ｐの無線タグが保持する原稿管理情報を読み取り、その読み取った原稿管理情報に基づいて、原稿Ｐがタイマー送信によるファクシミリ送信の対象原稿であるか否かを判断する。具体的処理の詳細は後述する。
【００４８】
なお、原稿Ｐは、無線タグが予め付加された無線タグ付きの記録用紙か、あるいは無線タグ無しの通常の記録用紙のいずれかで構成されるが、第１実施形態においては、タイマー送信の対象原稿のうち、少なくともフロントページの原稿Ｐには、無線タグ付きの記録用紙が用いられているものとして説明する。
【００４９】
図５は、ファクシミリ装置１が実行するメイン処理（Ｓ２）を示すフローチャートである。ファクシミリ装置１は、このメイン処理（Ｓ２）を定期的に実行する。
【００５０】
まず、タイマー予約設定の登録がユーザから指示されたか否かを判断する（Ｓ４）。Ｓ４の判断が肯定される場合（Ｓ４：Ｙｅｓ）、タイマー予約設定を登録するタイマー送信の登録処理（Ｓ６）を実行し、処理を終了する。タイマー送信の登録処理（Ｓ６）については、図６を参照して後述する。
【００５１】
一方、Ｓ４の判断が否定される場合（Ｓ４：Ｎｏ）、次に、タイマー送信管理部１４１（図３参照）に、未処理の送信開始日時が蓄積されているか否かを判断する（Ｓ８）。Ｓ８の判断が肯定される場合（Ｓ８：Ｙｅｓ）、現在の日時が、タイマー送信管理部１４１に記憶された送信開始日時のいずれかに到達したか否かを判断する（Ｓ１２）。すなわち、タイマー送信管理部１４１に記憶される送信開始日時のうち、いずれかが成立するかを判断する。そして、Ｓ１２の判断が肯定される場合は、タイマー送信処理（Ｓ１４）を実行し、処理を終了する。なお、タイマー送信処理（Ｓ１４）の詳細は、図７を参照して後述する。
【００５２】
また、Ｓ８またはＳ１２のうち、いずれかの判断が否定される場合（Ｓ８：ＮｏまたはＳ１２：Ｎｏ）、メイン処理を終了する。
【００５３】
図６は、タイマー送信の登録処理（Ｓ６）を示すフローチャートである。このタイマー送信の登録処理（Ｓ６）は、ユーザ入力に基づくタイマー予約設定をタイマー送信管理部１４１（図３参照）に設定すると共に、原稿台２ａに載置された原稿Ｐの無線タグに、原稿管理情報を保持させる処理である。
【００５４】
なお、タイマー送信の登録処理（Ｓ６）の実行に先立ち、ユーザは、原稿台２ａに載置された他の原稿Ｐを一旦取り除き、新規に登録しようとするタイマー予約設定の対象原稿のみを、原稿台２ａに載置する。
【００５５】
図６に示すように、タイマー送信の登録処理（Ｓ６）では、ユーザが入力した送信開始日時、ＦＡＸ送信先、指定枚数を、タイマー送信管理部１４１（図３参照）の同一の管理番号に対応付けて登録する（Ｓ６４,Ｓ６６,Ｓ６８）。
【００５６】
そして、ユーザが入力した送信開始日時とＦＡＸ送信先とを含む原稿管理情報を生成し、原稿台２ａに載置された原稿Ｐのフロントページの無線タグに書き込み、保持させる（Ｓ６９）。具体的には、原稿台２ａに載置された原稿Ｐのフロントページを自動原稿送り装置２により引き込み、無線タグリーダ・ライタ１５により、その原稿Ｐの無線タグに原稿管理情報を書き込む。
【００５７】
タイマー送信の登録処理（Ｓ６）によれば、送信開始日時などをタイマー送信管理部１４１に登録することができると共に、新たに登録されたタイマー予約設定と、そのタイマー予約設定でファクシミリ送信すべき対象原稿とを、無線タグからの原稿管理情報により関連付けることができる。
【００５８】
図７は、タイマー送信処理（Ｓ１４）を示すフローチャートである。このタイマー送信処理（Ｓ１４）では、原稿台２ａに載置された原稿Ｐが、タイマー送信によるファクシミリ送信の対象原稿であるか否かを判断し、対象原稿である場合はファクシミリ送信を実行する一方で、対象原稿ではない場合は、ファクシミリ送信を禁止する処理である。
【００５９】
なお、このタイマー送信処理（Ｓ１４）は、タイマー送信管理部１４１に記憶されたいずれかの送信開始日時に、現在の日時が到達した場合に実行されるが、現在の日時が到達した、と判断された送信開始日時を、以下、「該当する送信開始日時」と称することとする。この該当する送信開始日時は、特許請求の範囲に記載の「一の開始条件」の一例に相当する。
【００６０】
まず、原稿台２ａに載置された原稿Ｐに無線タグが付加されているか否かを判断する（Ｓ１４２）。Ｓ１４２の判断が否定される場合（Ｓ１４２：Ｎｏ）、タイマー送信の自動取り消しをユーザに通知し（Ｓ１５４）、該当する送信開始日時を含むタイマー予約設定をタイマー送信管理部１４１から取り消す（Ｓ１５６）。上述したように、タイマー送信によるファクシミリ送信対象の原稿Ｐには、その無線タグに原稿管理情報を保持させているので、原稿台２ａに載置された原稿Ｐに無線タグが付加されていない場合、その原稿Ｐは、タイマー送信の対象原稿ではないと判断することができる。よって、該当する送信開始日時を含むタイマー予約設定を取り消すことにより、タイマー送信機能による原稿Ｐの送信を禁止し、誤送信を確実に防止することができる。
【００６１】
一方、Ｓ１４２の判断が肯定される場合（Ｓ１４２：Ｙｅｓ）、次に、原稿Ｐの無線タグから原稿管理情報を読み取り、無線タグ情報メモリ１３１（図２参照）に記憶する（Ｓ１４４）。そして、読み取った原稿管理情報に含まれる送信開始日時とＦＡＸ送信先との組み合わせが、タイマー送信管理部１４１に記憶された該当する送信開始日時とＦＡＸ送信先との組み合わせに等しいか否かを判断する（Ｓ１４６）。すなわち、タイマー送信機能によるファクシミリ送信の実行前に、原稿台２ａに載置された原稿Ｐから、その原稿Ｐに付加された無線タグが保持する情報を読み取り、その読み取った情報に基づいて、原稿Ｐが、タイマー送信機能により実行されるファクシミリ送信の対象原稿か否かを判断するのである。
【００６２】
Ｓ１４６の判断が否定される場合（Ｓ１４６：Ｎｏ）、すなわち、原稿台２ａに載置された原稿Ｐの送信開始日時またはＦＡＸ送信先が、該当する送信開始日時、またはその送信開始日時に対応するＦＡＸ送信先と不一致であって、ファクシミリ送信の対象原稿ではないと判断される場合、タイマー送信の自動取り消しを示す通知を、例えば操作パネル２６（図２参照）に表示し（Ｓ１５２）、該当する送信開始日時を含むタイマー予約設定を取り消す（Ｓ１５６）。すなわち、タイマー送信機能により実行されるファクシミリ送信の対象原稿ではないと判断された原稿Ｐが、ファクシミリ送信されることを禁止する。このようにすれば、送信開始日時に送信対象ではない原稿Ｐが原稿台２ａに載置されている場合においても、原稿Ｐの誤送信を抑制することができる。
【００６３】
一方、Ｓ１４６の判断が肯定される場合（Ｓ１４６：Ｙｅｓ）、次に、該当する送信開始日時に対応づけて記憶された指定枚数を、タイマー送信管理部１４１（図３参照）から取得する（Ｓ１４８）。そして、ダイヤルし、取得した指定枚数分の原稿Ｐを読み取りながら、予約されたファクシミリ送信を実行する（Ｓ１５０）。すなわち、無線タグが保持する原稿管理情報に基づいて、タイマー送信の対象原稿であると判断された１枚の原稿Ｐと連続して原稿台２ａに積層されている指定枚数分の原稿Ｐを、ファクシミリ送信の対象原稿として判断し、送信する。複数ページから構成される１セットの原稿Ｐは、原稿台２ａにおいて連続して積層されている可能性が高いため、このようにすれば、対象原稿が複数ページからなる場合であっても、フロントページのみの無線タグからの情報で、適切な判断をすることができる。
【００６４】
また、該当する送信開始日時に送信すべき原稿Ｐに重ねて、送信対象外の原稿Ｐが載置されていたとしても、該当する送信開始日時に送信すべき原稿Ｐのみをファクシミリ送信することができる。
【００６５】
さらに、無線タグが付加された記録用紙は、無線タグ無しの記録用紙よりも高価となる場合があるが、本実施形態の判断条件によれば、送信対象原稿のうちフロントページのみ無線タグが付加された記録用紙が用いられていれば良いので、無線タグ付き記録用紙の使用を極力抑えることができる。
【００６６】
そして、Ｓ１５６の処理に移行し、タイマー送信管理部１４１から、該当する送信開始日時を含むファクシミリ送信条件を削除し（Ｓ１５６）、処理を終了する。
【００６７】
タイマー送信処理（Ｓ１４）によれば、タイマー送信機能による送信対象の原稿Ｐの無線タグが、送信開始日時を含む原稿管理情報を保持しているため、タイマー送信管理部１４１に登録された送信開始日時の各々について、その送信開始日時に適合した対象原稿であるか否かを判断することができる。
【００６８】
次に、第２実施形態について説明する。上記第１実施形態では、タイマー送信による送信対象原稿のうち、１ページの原稿Ｐに無線タグが付加されているものとして説明した。これに対し、第２実施形態では、送信対象原稿の各ページに無線タグが付加されているものとして説明する。
【００６９】
なお、第２実施形態におけるファクシミリ装置１の構成を示す模式的な断面図と電気的ブロック図とは、第１実施形態のファクシミリ装置１と同一となるため、図示および説明を省略する。
【００７０】
図８は、第２実施形態のファクシミリ装置１において実行されるメイン処理（Ｓ２２）を示すフローチャートである。このメイン処理（Ｓ２２）は、第１実施形態のファクシミリ装置１のメイン処理（Ｓ２：図７参照）に代えて実行される。なお、第１実施形態のファクシミリ装置１が実行するメイン処理（Ｓ２）には、１種類のタイマー送信処理（Ｓ１４）が含まれていたのに対し、第２実施形態のファクシミリ装置１が実行するメイン処理（Ｓ２０）には、タイマー送信処理１（Ｓ４０）とタイマー送信処理２（Ｓ４２）との２種類のタイマー送信処理が含まれ、ユーザが予め選択しておいた優先度に関するモードに基づいて、いずれかの送信処理が実行される。
【００７１】
第２実施形態のメイン処理（Ｓ２２）では、まず、タイマー送信処理１とタイマー送信処理２のいずれを実行するかを規定する、優先度に関するモードの選択が行われたか否かを判断する（Ｓ２２）。Ｓ２２の判断が肯定される場合（Ｓ２２：Ｙｅｓ）、タイマー送信の優先度設定処理を実行する（Ｓ２４）。タイマー送信の優先度設定処理（Ｓ２４）の図示および詳細な説明は省略するが、「送信中原稿優先モード」と「次送信優先モード」とのうち、ユーザによりいずれのモードが選択されたかを示すモード情報が、フラッシュメモリ１４に記憶される。
【００７２】
Ｓ２２の判断が否定される場合（Ｓ２２：Ｎｏ）、次に、タイマー予約設定の登録がユーザから指示されたか否かを判断する（Ｓ２６）。Ｓ２６の判断が肯定される場合（Ｓ２６：Ｙｅｓ）、タイマー送信の登録処理（Ｓ２８）を実行し、処理を終了する。タイマー送信の登録処理（Ｓ２８）については、図１１を参照して後述する。
【００７３】
一方、Ｓ２６の判断が否定される場合（Ｓ２６：Ｎｏ）、次に、タイマー予約設定の解除がユーザから指示されたか否かを判断する（Ｓ３０）。Ｓ３０の判断が肯定される場合（Ｓ３０：Ｙｅｓ）、タイマー送信の解除処理（Ｓ３２）を実行し、処理を終了する。タイマー送信の解除処理（Ｓ３２）については、図１４を参照して後述する。
【００７４】
次に、タイマー送信管理部１４１（図３参照）に、未処理の送信開始日時が蓄積されているか否かを判断する（Ｓ３４）。Ｓ３４の判断が肯定される場合（Ｓ３４：Ｙｅｓ）、現在の日時が、タイマー送信管理部１４１に記憶された送信開始日時のいずれかに到達したか否か（すなわち、開始条件のうち、いずれかが成立したか否か）を判断する（Ｓ３６）。
【００７５】
そして、Ｓ３６の判断が肯定される場合（Ｓ３６：Ｙｅｓ）、「送信中原稿優先モード」の設定中か否かを判断する（Ｓ３８）。Ｓ３８の判断が肯定される場合（Ｓ３８：Ｙｅｓ）、タイマー送信処理１（Ｓ４０）を実行し、処理を終了する。一方、Ｓ３８の判断が否定される場合（Ｓ３８：Ｎｏ）、タイマー送信処理２（Ｓ４２）を実行し、処理を終了する。なお、タイマー送信処理１（Ｓ４０）の詳細は、図９を参照して後述し、タイマー送信処理２（Ｓ４２）の詳細は、図１０を参照して後述する。
【００７６】
図９は、タイマー送信処理１（Ｓ４０）を示すフローチャートである。タイマー送信処理１（Ｓ４０）は、原稿台２ａに載置された原稿Ｐを１ページずつ読み取り、ファクシミリ送信の対象原稿であるか否かを判断し、その判断を、指定枚数分の原稿Ｐが、ファクシミリ送信の対象原稿であると判断されるまでの間、繰り返す処理である。したがって、送信対象の原稿Ｐと、送信対象外の原稿Ｐとが混在して原稿台２ａに載置されていたとしても、その中から、送信対象の原稿Ｐのみを抽出してファクシミリ送信することができる。
【００７７】
タイマー送信処理１（Ｓ４０）では、まず、該当する送信開始日時に対応付けて記憶された指定枚数をタイマー送信管理部１４１（図３参照）から取得し（Ｓ４０２）、次に、原稿台２ａに原稿Ｐがあるか否かを判断する（Ｓ４０４）。Ｓ４０４の判断が肯定される場合（Ｓ４０４：Ｙｅｓ）、次に、原稿台２ａに載置された原稿Ｐの１ページを自動原稿送り装置２により引き込み、その１ページの原稿Ｐに無線タグが付加されているか否かを判断する（Ｓ４０６）。
【００７８】
Ｓ４０６の判断が肯定される場合（Ｓ４０６：Ｙｅｓ）、次に、その１ページの原稿Ｐの無線タグから原稿管理情報を読み取り、無線タグ情報メモリ１３１（図２参照）に記憶する（Ｓ４０８）。そして、読み取った原稿管理情報に含まれる送信開始日時とＦＡＸ送信先との組み合わせが、タイマー送信管理部１４１に記憶された該当する送信開始日時とＦＡＸ送信先との組み合わせに等しいか否かを判断する（Ｓ４１０）。
【００７９】
Ｓ４１０の判断が否定される場合（Ｓ４１０：Ｎｏ）、すなわち、判断対象の１ページの原稿Ｐの送信開始日時またはＦＡＸ送信先が、該当する送信開始日時または対応するＦＡＸ送信先と不一致であって、ファクシミリ送信の対象原稿ではないと判断される場合、その１ページの原稿Ｐを読み取らずに排紙し（Ｓ４１２）、Ｓ４０４の処理に戻り、次の１ページについて判断する。なお、原稿Ｐに無線タグが付加されておらず、Ｓ４０６の判断が否定される場合も（Ｓ４０６：Ｎｏ）、その１ページの原稿Ｐを読み取らず排紙し（Ｓ４１２）、Ｓ４０４の処理に戻る。第２実施形態では、送信対象の各ページに無線タグが付加されているという前提であるため、無線タグが付加されていない原稿Ｐ、あるいは無線タグが付加されているが、該当する送信開始日時または対応するＦＡＸ送信先が格納されてない原稿Ｐは、送信対象ではないと判断して排紙し、次の１ページの原稿Ｐを判断対象として処理を繰り返すことができる。
【００８０】
一方、Ｓ４１０の判断が肯定される場合（Ｓ４１０：Ｙｅｓ）、タイマー送信処理１（Ｓ４０）を開始してから最初に送信する１ページ目の原稿Ｐであるか否かを判断する（Ｓ４１３）。Ｓ４１３の判断が肯定される場合（Ｓ４１３：Ｙｅｓ）、ダイヤルし（Ｓ４１４）、その１ページの原稿Ｐを読み取り、ファクシミリ送信する（Ｓ４１６）。なお、Ｓ４１３の判断が否定される場合（Ｓ４１３：Ｎｏ）、Ｓ４１４の処理をスキップする。次に、現時点における送信ページ数と、Ｓ４０２の処理で読み取った指定枚数とが等しいか否かを判断する（Ｓ４１８）。Ｓ４１８の判断が否定される間（Ｓ４１８：Ｎｏ）、Ｓ４０４から処理を繰り返す。
【００８１】
すなわち、該当する送信開始日時に対応付けて記憶された指定枚数分の原稿Ｐが、ファクシミリ送信の対象原稿であると判断されるまでの間、原稿台２ａに載置された原稿Ｐについて１ページずつ、タイマー送信機能によるファクシミリ送信の対象原稿であるか否かの判断を繰り返す。
【００８２】
このようにして処理を繰り返すうちに、Ｓ４０４の判断が否定される場合（Ｓ４０４：Ｎｏ）、またはＳ４１８の判断が肯定される場合（Ｓ４１８：Ｙｅｓ）、タイマー送信管理部１４１（図３参照）から、該当する送信開始日時を含むタイマー予約設定を取り消し（Ｓ４２０）、処理を終了する。
【００８３】
タイマー送信処理１（Ｓ４０）によれば、原稿台２ａにおいて、送信対象原稿に送信対象ではない原稿Ｐが混入していても、その混入ページは読み取られず排紙されるため、送信対象でない原稿Ｐが誤ってファクシミリ送信されてしまうことを抑制できる。また、原稿台２ａに載置された原稿Ｐが引き出される順序における後方に、送信対象原稿が存在していても、その送信対象原稿に至るまで判断を繰り返すことができるため、設定された送信開始日時におけるファクシミリ送信の実行を優先させることができる。
【００８４】
図１０は、タイマー送信処理２（Ｓ４２）を示すフローチャートである。タイマー送信処理２（Ｓ４２）は、原稿台２ａに載置された原稿Ｐを１ページずつ読み取り、ファクシミリ送信の対象原稿であるか否かを判断する処理を繰り返し、途中１ページでも、送信対象の原稿ではないと判断される原稿Ｐが存在すると、該当する送信開始日時を含むタイマー予約設定を取り消すように構成されている。なお、タイマー送信処理２（Ｓ４２）において、図９を参照して説明したタイマー送信処理１（Ｓ４０）と同一の処理については同一の符号を付して説明を省略する。
【００８５】
タイマー送信処理２（Ｓ４２）は、１ページの原稿Ｐの無線タグから原稿管理情報を読み取り、その読み取った原稿管理情報に含まれる送信開始日時とＦＡＸ送信先との組み合わせが、該当する送信開始日時と対応するＦＡＸ送信先との組み合わせに等しい場合（Ｓ４１０：Ｙｅｓ）、その１ページの原稿Ｐを読み取り、ファクシミリ送信する（Ｓ４１６）。この点において、タイマー送信処理２（Ｓ４２）は、図９を参照して説明したタイマー送信処理１（Ｓ４０）と共通する。
【００８６】
一方、原稿Ｐに無線タグがない場合（Ｓ４０６：Ｎｏ）、またはＳ４１０の判断が否定される場合（Ｓ４１０：Ｎｏ）、タイマー送信処理２（Ｓ４２）では、タイマー送信の取り消しを通知し（Ｓ４２２）、該当する送信開始日時を含むタイマー予約設定をタイマー送信管理部１４１（図３参照）から取り消し（Ｓ４２０）、処理を終了する。
【００８７】
タイマー送信処理２（Ｓ４２）によれば、送信対象原稿よりも先に判断される原稿Ｐに１ページでも送信対象外の原稿Ｐが混入していれば、該当する送信開始日時を含むタイマー予約設定が取り消されるので、誤送信を確実に防止することができる。
【００８８】
図１１は、タイマー送信の登録処理（Ｓ２８）を示すフローチャートである。第１実施形態のタイマー登録の送信処理（Ｓ６：図６参照）では、送信対象原稿のフロントページのみに原稿管理情報を保持させていたのに対し、図１１に示す第２実施形態のタイマー送信の登録処理（Ｓ２８）では、予約されたファクシミリ送信の対象原稿の各ページの無線タグに、原稿管理情報を保持させる点において第１実施形態と異なっている。以下の説明においては、第２実施形態のタイマー送信の登録処理（Ｓ２８）に含まれるステップのうち、第１実施形態のタイマー送信の登録処理（Ｓ６：図６参照）と同一のステップについては、同一の符号を付して説明を省略する。
【００８９】
なお、第２実施形態のタイマー登録の送信処理（Ｓ２８）は、タイマー予約設定の新規登録が、ユーザにより指示されたときに実行される処理であるが、タイマー予約設定の新規登録に先立ち、ユーザは、原稿台２ａで待機する他の原稿Ｐを一旦取り除き、新規に登録しようとするタイマー予約設定の対象原稿のみを、原稿台２ａに載置するものとする。
【００９０】
第２実施形態のタイマー送信の登録処理（Ｓ２８）では、まず、送信開始日時およびＦＡＸ送信先をタイマー送信管理部１４１（図３参照）へ登録した後、原稿台２ａに載置された原稿Ｐを１ページ引き込み、その１ページの原稿Ｐの無線タグに、送信開始日時およびＦＡＸ送信先を含む原稿管理情報を書き込み、保持させ、排紙する（Ｓ２８８）。
【００９１】
次に、原稿台２ａに原稿Ｐがあるか否かを判断し（Ｓ２９０）、Ｓ２９０の判断が肯定される間（Ｓ２９０：Ｙｅｓ）、Ｓ２８８から処理を繰り返す。すなわち、次の１ページを引き込み、その無線タグに原稿管理情報を書き込む。このようにして処理を繰り返す間に、原稿台２ａに載置された全ての原稿Ｐの無線タグに、原稿管理情報を書き込むと、Ｓ２９０の判断が肯定されるので（Ｓ２９０：Ｙｅｓ）、次に、原稿管理情報を書き込む処理を行った原稿Ｐの合計ページ数を指定枚数として、送信開始日時と対応付けてタイマー送信管理部１４１へ記憶する（Ｓ２９２）。
【００９２】
次に、タイマー送信管理部に、複数件のタイマー予約設定が登録されているか否かを判断する（Ｓ２９４）。Ｓ２９４の判断が肯定される場合（Ｓ２９４：Ｙｅｓ）、原稿セットの支援処理（Ｓ２９６）を実行し、処理を終了する。なお、原稿セットの支援処理（Ｓ２９６）の詳細は、図１２を参照して後述する。Ｓ２９４の判断が否定される場合（Ｓ２９４：Ｎｏ）、Ｓ２９６の処理をスキップし、終了する。
【００９３】
図１２は、原稿セットの支援処理（Ｓ２９６）を示すフローチャートである。この処理は、実行待ちのタイマー予約設定がタイマー送信管理部１４１（図３参照）に登録されている状態において、タイマー予約設定が新規登録された場合に実行される処理であって、ユーザによる原稿セットを支援するための処理である。
【００９４】
原稿セットの支援処理（Ｓ２９６）では、まず、原稿台２ａに先に積層されていた原稿Ｐに対して、新規登録されたタイマー予約設定の対象原稿を挿入すべき位置を決定し、その挿入位置を示す挿入位置指示画面５０（図１３（ａ）参照）を操作パネル２６（図２参照）に表示する（Ｓ２９６２）。具体的には、タイマー送信管理部１４１に登録済みのタイマー予約設定を、送信開始日時でソートし、その送信開始日時順に従って、新たに予約されたファクシミリ送信の対象原稿を挿入すべき位置を決定し、操作パネル２６に表示する。ここで、対象原稿を挿入すべき位置とは、例えば、原稿台２ａにおける下から何番目、または上から何番に対象原稿を挿入すべきであるかを示す枚数の情報を意味している。
【００９５】
図１３（ａ）は、Ｓ２９６２の処理によって、操作パネル２６に表示される挿入位置指示画面５０の一例を示す図である。図１３（ａ）に示すように、挿入位置指示画面５０には、送信開始日時が現在の日時から近い順に、タイマー予約設定が下から並べて表示される。このように、送信開始日時でソートしたタイマー予約設定を挿入位置指示画面５０に表示すると共に、新規登録されたタイマー予約設定「ＹＹＸ−Ｘ５６７  １２：３０  ・・・（以下省略」を、既に予約されていた他のタイマー予約設定と区別して表示することにより、原稿Ｐの挿入位置を視覚的にユーザに報知することができる。
【００９６】
なお、図１３（ａ）に示すように、ソートされた順序において、新たに予約されたタイマー予約設定が、既に登録されていた他のタイマー予約設定の間に位置する場合、挿入位置指示画面５０には、仕分けボタン５２と閉じるボタン５４とが表示される。ユーザは、操作パネル２６のキーを操作することにより、仕分けボタン５２または閉じるボタン５４のいずれかを選択することができる。
【００９７】
図１２に戻り説明する。新たに登録したタイマー予約設定が、送信開始日時順において、既に登録済みのタイマー予約設定の間に位置するか否かを判断し（Ｓ２９６４）、Ｓ２９６４の判断が否定される場合（Ｓ２９６４：Ｎｏ）、原稿セットの支援処理（Ｓ２９６）を終了する。
【００９８】
一方、Ｓ２９６４の判断が肯定される場合（Ｓ２９６４：Ｙｅｓ）、仕分けボタン５２と閉じるボタン５４とを表示し（Ｓ２９６６）、仕分けボタン５２が選択されたか否かを判断する（Ｓ２９６８）。Ｓ２９６８の判断が否定される場合（Ｓ２９６８：Ｎｏ）、原稿セットの支援処理（Ｓ２９６）を終了する。一方、Ｓ２９６８の判断が肯定される場合（Ｓ２９６８：Ｙｅｓ）、次に、セット済み原稿一覧５６を表示する（Ｓ２９７０）。
【００９９】
図１３（ｂ）は、セット済み原稿一覧５６の一例を示す図である。図１３（ｂ）に示すように、セット済み原稿一覧５６は、タイマー予約設定を新規登録する前に、既に登録されていたタイマー予約設定のみを表示する画面である。
【０１００】
上述したように、新たなタイマー予約設定を登録する場合、ユーザ自身に原稿台２ａに待機していた原稿Ｐを一旦取り除かせ、新たに登録しようとするタイマー予約設定の対象原稿のみを原稿台２ａに載置させることにより、その載置された送信対象原稿の無線タグに原稿管理情報を保持させた。したがって、原稿管理情報の書き込み後は、図１３（ｂ）に示すようなセット済み原稿一覧５６を表示することにより、先に原稿台２ａに載置されていた原稿Ｐを原稿台２ａに戻すよう、ユーザに促す。
【０１０１】
なお、図１３（ｂ）に示すように、セット済み原稿一覧５６には、開始ボタン５８および閉じるボタン６０が設けられる。ユーザは、操作パネル２６のキーを操作することにより、開始ボタン５８または閉じるボタン６０のいずれかを選択することができる。
【０１０２】
図１２に戻り説明する。次に、開始ボタン５８が選択されたか否かを判断する（Ｓ２９７１）。Ｓ２９７１の判断が否定される場合（Ｓ２９７１：Ｎｏ）、原稿セットの支援処理（Ｓ２９６）を終了する。
【０１０３】
一方、Ｓ２９７１の判断が肯定される場合（Ｓ２９７１：Ｙｅｓ）、新たに登録されたタイマー予約設定よりも先に送信される分の枚数の原稿Ｐを、自動原稿送り装置２で引き込み排紙する（Ｓ２９７２）。次に、引き込んで排紙した原稿Ｐの排出先の位置をスライドする（Ｓ２９７４）。そして、原稿台２ａの残りの原稿Ｐを自動原稿送り装置２で引き込み排紙し（Ｓ２９７６）、処理を終了する。このようにすれば、原稿台２ａに載置された原稿Ｐを自動原稿送り装置２により紙送りするという従来からある構成を利用しつつ、新たに登録したタイマー予約設定の送信対象原稿の挿入位置として決定された位置で、原稿台２ａに載置された原稿Ｐを２セットに仕分けることができる。
【０１０４】
よって、原稿セットの支援処理（Ｓ２９６）によれば、ユーザは、その仕分けられた複数セットの間に、新たに登録したタイマー予約設定の対象原稿を挿入するという簡単な作業で、送信順序に対応した適切な順序で、原稿Ｐを積層させることができる。
【０１０５】
図１４は、タイマー送信の解除処理（Ｓ３２）を示すフローチャートである。このタイマー送信の解除処理（Ｓ３２）は、タイマー予約設定の解除がユーザから指示された場合に実行される処理である。
【０１０６】
まず、ユーザにより選択された、解除対象のタイマー予約設定を検索し、タイマー送信管理部１４１から削除する（Ｓ３２２）。次に、削除後のタイマー送信管理部１４１に、未だ複数のタイマー予約設定が登録されているかを判断する（Ｓ３２６）。Ｓ３２６の判断が否定される場合（Ｓ３２６：Ｎｏ）、タイマー送信の解除処理（Ｓ３２）を終了する。この際、タイマー予約設定が削除され、他のタイマー予約設定が登録されていないにもかかわらず、原稿台に原稿がセットされているような場合には、ユーザに原稿を取り除くことを促すメッセージ等の報知を行なうように構成してもよい。
【０１０７】
一方、Ｓ３２６の判断が肯定される場合（Ｓ３２６：Ｙｅｓ）、原稿取り出しの支援処理（Ｓ３２８）を実行し、処理を終了する。
【０１０８】
図１５は、原稿取り出しの支援処理（Ｓ３２８）を示すフローチャートである。図１５に示すように、原稿取り出しの支援処理（Ｓ３２８）では、まず、原稿台２ａに既に積層されている原稿Ｐに対して、解除されたタイマー予約設定、すなわち取り消された送信開始日時にファクシミリ送信すべきであった対象原稿が積層されている位置を決定し、その位置を操作パネル２６（図２参照）に表示する（Ｓ３２８２）。具体的には、タイマー送信管理部１４１に登録済みのタイマー予約設定を送信開始日時でソートし、送信開始日時が近い順に下から順番に表示する。ここで、対象原稿を積層されている位置とは、例えば、原稿台２ａにおける下から何番目、または下から何番に対象原稿が位置するかを示す枚数の情報を意味している。
【０１０９】
図１６（ａ）は、Ｓ３２８２の処理で表示される積層順表示画面６２の一例を示す図である。図１６（ａ）に示すように、積層順表示画面６２においては、指定枚数を含むタイマー予約設定が、送信開始日時順に並べて表示されると共に、取り消された送信開始日時を含むタイマー予約設定は、表示色を変えることにより区別して表示される。よって、ユーザは、取り除くべき原稿Ｐが、原稿台２ａにおける下から何枚目に位置しているか、あるいは上から何枚目に位置しているかを認識することができる。
【０１１０】
なお、積層順表示画面６２には、仕分けボタン６４と閉じるボタン６６とが表示される。ユーザは、操作パネル２６のキーを操作することにより、仕分けボタン６４または閉じるボタン６６のいずれかを選択することができる。
【０１１１】
図１５に戻り説明する。次に、積層順表示画面６２における仕分けボタン６４が選択されたか否かを判断する（Ｓ３２８６）。Ｓ３２８６の判断が否定される場合（Ｓ３２８６：Ｎｏ）、原稿取り出しの支援処理（Ｓ３２８）を終了する。一方、Ｓ３２８６の判断が肯定される場合（Ｓ３２８６：Ｙｅｓ）、次に、セット済み原稿一覧６８を表示する（Ｓ３２８８）。
【０１１２】
図１６（ｂ）は、セット済み原稿一覧６８の一例を示す図である。図１６（ｂ）に示すように、セット済み原稿一覧６８は、タイマー予約設定解除前に、タイマー送信管理部１４１に登録されていたタイマー予約設定を表示する画面であり、開始ボタン７０および閉じるボタン７２が設けられる。ユーザは、操作パネル２６のキーを操作することにより、開始ボタン７０または閉じるボタン７２のいずれかを選択することができる。
【０１１３】
図１５に戻り説明する。次に、開始ボタン７０が選択されたか否かを判断する（Ｓ３２９０）。Ｓ３２９０の判断が否定される場合（Ｓ３２９０：Ｎｏ）、原稿取り出しの支援処理（Ｓ３２８）を終了する。
【０１１４】
一方、Ｓ３２９０の判断が肯定される場合（Ｓ３２９０：Ｙｅｓ）、次に、取り消した送信開始日時よりも早くファクシミリ送信される指定枚数分の原稿Ｐを、自動原稿送り装置２により引き込み排紙する（Ｓ３２９２）。次に、引き込んで排紙した原稿Ｐの排出先の位置をスライドする（Ｓ３２９４）。そして、原稿台２ａの残りの原稿Ｐを自動原稿送り装置２で引き込み排紙し（Ｓ３２９６）、処理を終了する。このようにすれば、原稿台２ａに載置された原稿Ｐを自動原稿送り装置２により紙送りするという従来からある構成を利用しつつ、取り出すべき原稿Ｐの位置で、原稿台２ａに載置された原稿Ｐを２セットに仕分けることができる。従って、取り出すべき原稿Ｐの先頭（一枚目）を容易に判別でき、予約設定を解除された原稿Ｐを簡単に取り出すことができる。
【０１１５】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【０１１６】
例えば、上記実施形態では、タイマー送信機能の実行時に、本発明を適用する例について説明したが、ポーリング送信機能の実行時においても、同様に本発明を適用することができる。すなわち、受信元からの指令を受け、ポーリング送信を実行しようとする際、ファクシミリ送信の実行前に、原稿台２ａに載置された原稿Ｐから、その原稿Ｐに付加された無線タグが保持する情報を読み取り、その読み取った情報に基づいて、原稿Ｐが、ポーリング送信の対象原稿か否かを判断すると共に、ポーリング送信の対象原稿ではないと判断された原稿Ｐが、ファクシミリ送信されることを禁止するのである。このような変形例においても、上述した実施形態と同様に、誤送信を抑制することができる。
【０１１７】
また上記実施形態では、送信開始日時とＦＡＸ送信先とを含む原稿管理情報を無線タグに書き込むことにより、タイマー送信管理部１４１に記憶されたタイマー予約設定と原稿Ｐとを関連付けていたが、タイマー予約設定と原稿Ｐとを関連付ける具体的手段は、これには限られない。例えば、無線タグに原稿管理情報を書き込むことに代えて、無線タグが予め保持するＩＤを読み取り、そのＩＤを、タイマー送信管理部１４１に登録されたタイマー予約設定に関連付けることにより、両者を関連付けても良い。
【０１１８】
また、原稿管理情報には、送信開始日時とＦＡＸ送信先以外の情報を含めても良い。例えば、送信対象原稿の何ページ目であるかを示すページ情報を、原稿管理情報に含めても良い。このようにすれば、送信対象のページの各々について、送信対象の１セットの原稿Ｐにおける何ページ目の原稿Ｐであるかを、ファクシミリ装置１が認識することができるから、例えば、ページの欠落があった場合にはファクシミリ送信を禁止するなど、適切な処理を取ることができる。
【図面の簡単な説明】
【０１１９】
【図１】本発明の第１実施形態であるファクシミリ装置の模式的な断面図である。
【図２】ファクシミリ装置の電気的構成を示すブロック図である。
【図３】タイマー送信管理部の構成を模式的に示す図である。
【図４】原稿の無線タグに保持させる原稿管理情報を説明する図である。
【図５】ファクシミリ装置が実行するメイン処理を示すフローチャートである。
【図６】タイマー送信の登録処理を示すフローチャートである。
【図７】タイマー送信処理を示すフローチャートである。
【図８】第２実施形態のファクシミリ装置において実行されるメイン処理を示すフローチャートである。
【図９】タイマー送信処理１を示すフローチャートである。
【図１０】タイマー送信処理２を示すフローチャートである。
【図１１】タイマー送信の登録処理を示すフローチャートである。
【図１２】原稿セットの支援処理を示すフローチャートである。
【図１３】（ａ）は、操作パネルに表示される挿入位置指示画面の一例を示す図であり、（ｂ）は、セット済み原稿一覧の一例を示す図である。
【図１４】タイマー送信の解除処理を示すフローチャートである。
【図１５】原稿取り出しの支援処理を示すフローチャートである。
【図１６】（ａ）は、積層順表示画面の一例を示す図であり、（ｂ）は、セット済み原稿一覧の一例を示す図である。
【符号の説明】
【０１２０】
１                      ファクシミリ装置
１２１                  制御プログラム（ファクシミリ制御プログラムの一例）
１４１                  タイマー送信管理部（送信枚数記憶手段の一例）
Ｓ１４６                送信対象判断手段の一例
Ｓ１５０                予約ファクシミリ実行手段の一例
Ｓ２９６２              報知手段の一例
Ｓ２９７２〜Ｓ２９７６  仕分け手段の一例
Ｓ３２９２〜Ｓ３２９６  原稿取り出し支援手段の一例
【図１】
2010011107.tif 000003
【図２】
2010011107.tif 000004
【図３】
2010011107.tif 000005
【図４】
2010011107.tif 000006
【図５】
2010011107.tif 000007
【図６】
2010011107.tif 000008
【図７】
2010011107.tif 000009
【図８】
2010011107.tif 000010
【図９】
2010011107.tif 000011
【図１０】
2010011107.tif 000012
【図１１】
2010011107.tif 000013
【図１２】
2010011107.tif 000014
【図１３】
2010011107.tif 000015
【図１４】
2010011107.tif 000016
【図１５】
2010011107.tif 000017
【図１６】
2010011107.tif 000018